(57)【要約】【課題】  部品がベランダから落下する危険性がなく、容易に取り付け可能な物干し金具支持具を提供することである。【解決手段】  手摺９に取り付ける物干し金具支持具１００であって、上部に手摺９の笠木９１に係止するための鉤部１１を設け、下部に手摺９の支柱９２または壁部と当接する当接部３を設け、上下に物干し金具取り付け孔５，５’を設けた縦材１と、手摺９の支柱９２両側面に当接する折曲部２１を両端に有し、前記縦材１の上下に設けた物干し金具取り付け孔５，５’の少なくとも１つの孔に一致する取り付け孔２５を設けた、上面視でコ字形の横材２とを備える。【選択図】図１
0003205397.tif 000002
【実用新案登録請求の範囲】
【請求項１】
手摺に取り付ける物干し金具支持具であって、
上部に手摺の笠木に係止するための鉤部を設け、下部に手摺の支柱または壁部と当接する当接部を設けた縦材を備え、
前記縦材の上下に物干し金具取り付け孔を設けたことを特徴とする物干し金具支持具。
【請求項２】
手摺の支柱両側面に当接する折曲部を両端に有し、前記縦材の上下に設けた前記物干し金具取り付け孔の少なくとも１つの孔に一致する取り付け孔を設けた、上面視でコ字形の横材をさらに備えた請求項１に記載の物干し金具支持具。
【請求項３】
手摺の笠木または手摺の支柱もしくは壁部に当接する部位に緩衝材を設けた請求項１または２に記載の物干し金具支持具。
【請求項４】
前記縦材に穴部を設け、前記横材の下端に設けた爪部を前記穴部に挿入して、前記縦材と横材とを位置決めする請求項１〜３のいずれかに記載の物干し金具支持具。
【請求項５】
前記鉤部が前記笠木の上面に当接する水平面部と、この水平面部の端部から笠木の屋外側に垂下した垂下状部とを備え、前記垂下状部は前記縦材とで笠木を挟着するように前記水平面部に対して９０°より小さい角度で水平面部から垂下している請求項１〜４のいずれかに記載の物干し金具支持具。
【考案の詳細な説明】
【技術分野】
【０００１】
本考案は、ベランダの手摺に、市販の物干し金具を取り付けるための物干し金具支持具に関する。
【背景技術】
【０００２】
マンション等の集合住宅のベランダには、物干し竿をかけるために当初から設置されている物干し具がある。これらは例えば床置きタイプや壁掛けタイプなどが挙げられる。床置きタイプはスチール製が多く、経年とともに錆や老朽化が進みやすい。また、壁掛けタイプはベランダの使用勝手に不便を強いられる。このような場合、新たに実用的な物干し具の設置が望ましい。
【０００３】
しかしながら、マンション等のベランダは住民の共有部分であるので、区分所有法や管理規約で傷つけることが禁止されており、例えばベランダの手摺や壁面に新たにネジ穴などの孔を設けて物干し具を取り付けることができなかった。
【０００４】
支柱に孔を開けないで物干し金具を設置するため、例えば、特許文献１には、ベランダの壁部に取り付け可能なアタッチメント部と、このアタッチメント部から片持ち状に取り付けられる物干しアームとを備えた物干し竿の支持具が提案されている。この物干し竿の支持具は、アタッチメント部と物干しアームの基端部との間にベランダの壁部の上部を挟み込むようにして、壁厚さが異なるベランダの壁上部に対しても取り付け可能となっている。
【０００５】
しかしながら、特許文献１に記載の物干し竿の支持具は、壁部（手摺子）を挟むように設置した場合、ベランダの外部にアタッチメント部が露出してしまう。このアタッチメント部の部品が組立てや取り外しの際にマンションのベランダから落下する恐れがある。
【先行技術文献】
【特許文献】
【０００６】
【特許文献１】特開２００３−１３５８９８号公報
【考案の概要】
【考案が解決しようとする課題】
【０００７】
本考案の課題は、部品がベランダから落下する危険性がなく、容易に取り付け可能な物干し金具支持具を提供することである。
【課題を解決するための手段】
【０００８】
本考案は、上記課題を解決するべく完成されたものであって、以下の構成からなる。
（１）手摺に取り付ける物干し金具支持具であって、上部に手摺の笠木に係止するための鉤部を設け、下部に手摺の支柱または壁部と当接する当接部を設けた縦材を備え、前記縦材の上下に物干し金具取り付け孔を設けたことを特徴とする物干し金具支持具。
（２）手摺の支柱両側面に当接する折曲部を両端に有し、前記縦材の上下に設けた前記物干し金具取り付け孔の少なくとも１つの孔に一致する取り付け孔を設けた、上面視でコ字形の横材をさらに備えた（１）に記載の物干し金具支持具。
（３）手摺の笠木または手摺の支柱もしくは壁部に当接する部位に緩衝材を設けた（１）または（２）に記載の物干し金具支持具。
（４）前記縦材に穴部を設け、前記横材の下端に設けた爪部を前記穴部に挿入して、前記縦材と横材とを位置決めする（１）〜（３）のいずれかに記載の物干し金具支持具。
（５）前記鉤部が前記笠木の上面に当接する水平面部と、この水平面部の端部から笠木の屋外側に垂下した垂下状部とを備え、前記垂下状部は前記縦材とで笠木を挟着するように前記水平面部に対して９０°より小さい角度で水平面部から垂下している（１）〜（４）のいずれかに記載の物干し金具支持具。
【考案の効果】
【０００９】
本考案によれば、物干し金具支持具が、上部の鉤部で手摺の笠木に係止され、下部の当接部で手摺の支柱または壁部と当接する縦材からなり、この縦材の上下に設けた物干し金具取り付け孔で物干し金具を取り付けられるので、手摺の笠木や支柱に固定のためのネジ穴などを空けなくても、物干し金具を容易に設置することができる。
また、本考案の物干し金具支持具は、手摺または壁部の内側から容易に組立てや取り外しができるため、部品がマンションのベランダから落下する恐れはない。
【図面の簡単な説明】
【００１０】
【図１】本考案の一実施形態に係る物干し金具支持具の使用形態を示す側面図である。
【図２】（ａ）は本考案の一実施形態における縦材の正面図であり、（ｂ）は側面図である。
【図３】（ａ）は本考案の一実施形態における横材の正面図であり、（ｂ）は側面図であり、（ｃ）は上面図である。
【図４】本考案の一実施形態に係る物干し金具支持具の正面図である。
【図５】図４に物干し金具を取り付けた状態を示す正面図である。
【考案を実施するための形態】
【００１１】
以下、本考案の一実施形態に係る物干し金具支持具について、図面を参照して説明する。
【００１２】
図１に示す物干し金具支持具１００は、ベランダの手摺９に、物干し金具８を取り付けるためのものであり、縦材１と横材２とを備える。なお、この実施形態では横材２を備えているが、本考案に係る物干し金具支持具１００は、縦材１のみでも物干し金具８を支持することができる。
【００１３】
縦材１は手摺９の支柱９２または壁部に略平行に設置され、手摺９の笠木９１に縦材１を係止するための鉤部１１が上部に設けられ、下部には手摺９の支柱９２と当接する当接部３が設けられている。
【００１４】
鉤部１１は、縦材１を折り曲げて形成され、その内側が笠木９１の前後面と上面と当接する。鉤部１１の先端は手摺９の外部に露出するが、縦材１と一体形成されているので、鉤部１１が手摺９の外部に落下することはない。
鉤部１１は、笠木９１の上面に当接する水平面部１２と、この水平面部１２の端部から笠木９１の屋外側に垂下した垂下状部１３とを備える。このとき、垂下状部１３は、縦材１とで笠木９１を挟着するように水平面部１２に対して９０°より小さい角度で水平面部１２から垂下している。これにより、縦材１の端部に設けた当接部３が支柱９２により強く当接し、物干し金具１００の浮き上がりを抑制する。この角度αはより好ましくは、８７〜８９°であるのがよい。
【００１５】
当接部３は、縦材１を安定させるため、縦材１の下部を鉤部１１側へ突出させ支柱９２に当接した平面形状の部材である。縦材１に物干し金具８を取り付けた際、この当接部３が支柱９２に当接することで、縦材１の上下方向のブレを抑え、ベランダの外側へ縦材１が落下するのを防ぐことができる。この当接部３は、縦材１と一体形成されていてもよいし、後から縦材１に取り付けられてもよい。また、当接部３の形状は平面形状以外にも、例えば、断面台形状、断面半円形状などであってもよい。この当接部３の材質は特に限定されないが、例えば、ゴムなどの弾性体が好ましい。
【００１６】
縦材１の上下には、図２（ａ）および（ｂ）に示すように、物干し金具８を取り付けるために、縦材１を貫通した物干し金具取り付け孔５，５’が設けられている。物干し金具取り付け孔５，５’は、それぞれ物干し金具８に設けた取り付け孔８１と位置が一致する。この物干し金具取り付け孔５，５’のうち、少なくとも１つは、種々の規格の物干し金具８に対応できるように縦材１の上下に延びた長孔（ルーズ孔）であるのがよい。
物干し金具取り付け孔５，５’には、それぞれボルト６，６’が挿入されている。このうち、ボルト６は、予め縦材１に溶接などで一端が固定されたものであり、例えば、寸切りボルトなどが挙げられる。また、ボルト６’はルーズ孔を挿通しているのがよい。このボルト６，６’は、それぞれ物干し金具８の取り付け孔８１を挿通し、それぞれナット６０を締めて、物干し金具８を固定する。
【００１７】
縦材１の材質や形状は、軽量で剛性があるならば特に限定されない。材質としては、金属、木材、樹脂などが挙げられ、特に加工性や耐久性のうえから、アルミニウムやステンレスなどの金属材料がよい。また形状としては、軽量化の点から棒状部材や板状部材などが挙げられ、特にアングル材で形成されているのがよい。
【００１８】
縦材１に取り付けられる物干し金具８は、市販されているものが適宜使用される。この物干し金具８はアーム部８０を備え、物干し竿（図示せず）の両端を保持する。
この物干し金具８は、取り付け孔８１を上下に備えており、これらを挿通したボルト６，６’は、それぞれナット６０で締めて固定される（図１）。
【００１９】
横材２は、図３（ａ）および（ｂ）に示すように、手摺９の支柱９２の両側面に当接する折曲部２１を両端に有し、貫通孔である取り付け孔２５を備え、縦材１と物干し金具８との間に挟まれて設置される。この横材２の形状は、支柱９２の両側面に当接する折曲部２１を両端に有していれば特に限定されないが、例えば、図３（ｃ）に示すように、上面視でコ字形の形状であるのがよい。
横材２の材質は、軽量で剛性があるならば特に限定されない。材質としては、金属、木材、樹脂などが挙げられ、特に加工性や耐久性のうえから、アルミニウムやステンレスなどの金属材料がよい。この横材２の材質は縦材１の材質と同じであってもよい。
【００２０】
折曲部２１は支柱９２の両側面に当接して、例えば風などによる横方向のブレを抑えることができる。折曲部２１の内側の支柱９２との当接面には、後述する緩衝材３１が設けていてもよい。
【００２１】
取り付け孔２５は、縦材１の上下に設けた物干し金具取り付け孔５，５’の少なくとも１つの孔と一致し、ボルト６’を挿入して、横材２と縦材１とを固定するためのものである。図１では、取り付け孔２５は、笠木９１の高さの位置に設けられているが特に限定されない。
【００２２】
手摺９の笠木９１または支柱９２に当接する縦材１および横材２の部位、すなわち縦材１の鉤部１１、当接部３、および横材２の折曲部２１のうち少なくとも一方の内側には、より手摺９を傷つけず且つ手摺９との密着性を向上させて物干し金具支持具１００を安定して設置させるために緩衝材３１が設けられるのがよい。緩衝材３１の素材は特に限定されず、例えばゴム、布、樹脂等であるのがよい。緩衝材３１は、例えば、縦材１がステンレス鋼で形成され、手摺９がアルミ製であった場合は、電食防止のためにゴムを用いるなど、使用者が適宜選択するのがよい。
また、緩衝材３１は手摺９と当接する各部位に着脱自在に取り付けられ、手摺９の大きさに合わせて調整できるのがよい。例えば、厚みがある手摺９の場合、緩衝材３１としてビニールテーブを薄く巻いてもよい。反対に厚みが薄い場合、緩衝材３１として厚みのあるゴム材を貼着してもよい。
【００２３】
縦材１と横材２との位置決めをするため、横材２の下端に爪部４を設け、縦材１に爪部４を挿入可能な穴部４１を設けてもよい。爪部４を孔部４１に挿入することにより、縦材１の物干し金具取り付け孔５，５’と横材２の取り付け孔２５の孔が一致し、ボルト６，６’を挿入することが容易となる。
【００２４】
このような本考案の物干し金具支持具は、主としてマンション等におけるベランダの手摺、特に、ガラス入りアルミ手摺に設置するために使用される。
【００２５】
＜取り付け方法＞
図４，５を用いて物干し金具８を手摺９に取り付ける方法を説明する。
まず、図４に示すように、手摺９の笠木９１に縦材１の鉤部１１（垂下状部１３）を引っ掛けて係止する。このとき当接部３が支柱９２に当接するように、鉤部１１および当接部３に設けた緩衝材３１の厚みを調整する。
【００２６】
次に、折曲部２１で支柱９２を挟むように横材２を縦材１の表面に取り付ける。このとき、縦材１に設けた穴部４１に横材２の爪部４を挿入し、横材２の取り付け孔２５を、縦材１の物干し金具取り付け孔５，５’の少なくとも１つの孔に一致させる。
【００２７】
最後に、図５に示すように、物干し金具８を、縦材１と横材２（物干し金具支持具１００）に取り付けて、物干し金具取り付け孔５と取り付け孔８１とを挿通したボルト６，６’をナット６０でそれぞれ固定する。
【００２８】
物干し金具支持具１００を手摺９から取り外す場合は、ナット６０を緩めれば、縦材１と横材２と物干し金具８に簡単に分解して取り外すことができる。この作業は、手摺９の内側（ベランダ側）で全て行うことができる。
【００２９】
このようにして、手摺９に設置された物干し金具支持具１００により、物干し金具８が支持されるので、使用者は、手摺９の笠木９１や支柱９２に固定のためのネジ穴などを空けなくても、物干し金具８を容易に手摺９に設置することができる。なお、本考案の物干し金具支持具１００は、壁部で構成された手摺にも適用可能である。この場合には、横材２は使用しなくてもよい。
【００３０】
また、物干し金具支持具１００は、縦材１と横材２とがボルト６，６’およびナット６０とで物干し金具８を固定しており、さらにベランダの外部には縦材１の鉤部１１先端しか露出しない。そのため、手摺９の内側から容易に組立てや取り外しができる。また、一度物干し金具支持具１００を手摺９に設置した際、これに取り付けた物干し金具８を解除しない限り、物干し金具支持具１００が手摺９から外れることはなく、且つ組立ておよび取り外し時に部品がベランダから落下する恐れもなく安全である。
【符号の説明】
【００３１】
１    縦材
１１    鉤部
１２  水平面部
１３  垂下状部
２    横材
２１  折曲部
２５  取り付け孔
３    当接部
３１  緩衝材
４    爪部
４１  穴部
５、５’  物干し金具取り付け孔
６、６’  ボルト
６０  ナット
８    物干し金具
８０  アーム部
８１  取り付け孔
９    手摺
９１  笠木
９２  支柱
１００  物干し金具支持具
【図１】
0003205397.tif 000003
【図２】
0003205397.tif 000004
【図３】
0003205397.tif 000005
【図４】
0003205397.tif 000006
【図５】
0003205397.tif 000007